(57)【要約】【課題】  電力供給用の端子ボックスをハウジングの外周の任意の方位に取り付けることを容易にし、また、放熱性を向上させる全閉形モーターを提供する。【解決手段】  ハウジング本体と被動力伝達側に固定する為の足を別々の構造体とし、ハウジングの放熱フィンの外側を円筒状のカバーで覆い固定することで、ハウジングに取り付けられた端子ボックスと後で取り付ける足の相対位置が回転軸方向の任意の方位に取り付けることができ、またファンカバーと円筒状のカバーの隙間を密着させることで、冷却ファンの風を円筒状のカバーの中の放熱フィンに効率よく当てることができる手段を設ける。【選択図】  図２
2007082362.tif 000002
【特許請求の範囲】
【請求項１】
ハウジングの内面に取り付けられた巻き線を有するステータと、
前記ステータ内に挿入されたロータコアと、
前記ロータコアに固定されたシャフトと
前記シャフトを支持する軸受けと、
前記軸受けを支持するエンドブラケットと、
前記シャフトに取り付けられた冷却ファンと、
を有する回転電機において、
前記巻き線に入力される電力を供給する電力供給線が固定される端子を有する端子ボックスを前記ハウジングの外面の任意の位置に固定し、
また、前記回転電機を固定する足を前記ハウジングの外面の任意の位置に固定すること
を特徴とする回転電機。
【請求項２】
請求項１記載の回転電機において、
前記ハウジングと前記ステータとの間に放熱フィンを設けたこと
を特徴とする回転電機。
【請求項３】
請求項１記載の回転電機において、
前記ハウジングの断面の外周形状が多角形であること
を特徴とする回転電機。
【発明の詳細な説明】
【技術分野】
【０００１】
本発明は、回転電機、もしくはモーターを提供する技術に関する。
【背景技術】
【０００２】
例えば、全閉形電動機として、特許文献１に開示されたものがある。特許文献１では、特殊な機器や部材を用いることなく構造簡単にして冷却効率の高い冷却リブ付全閉形電動機について、説明されている。
【０００３】
【特許文献１】特開２００１−２３８３９５号公報
【発明の開示】
【発明が解決しようとする課題】
【０００４】
一般に、巻き線等から発生する熱を放熱する為に、ハウジングの外面に放熱フィンを取り付けた全閉形回転電機、モーターは、ハウジングを被動力伝達側に前記回転電機、モータを固定する為の足をハウジング本体に取り付ける時、放熱用のフィンの無い部分をあらかじめ設定し、この部分に足を結合あるいは一体化構造化するのが一般的である。また放熱フィンは外気に剥き出しになるような構造として、シャフトの軸端に取り付けた冷却ファンの風をファンカバーにより放熱フィン側に風を向けて風を当てることで冷却している。
【０００５】
しかし、放熱フィンの無い部分にしか足を取り付けできない為、前記足と前記巻き線に入力される電力を供給する電力供給線が固定される端子を有する端子ボックスの相対位置は必然的に決定される設計になる。その為、前記端子ボックスと足の相対位置を変える場合は、その都度ハウジングの形状を再設計し、放熱フィンの無い部分と前記端子ボックスの相対位置を変更しなければならず、それに伴いハウジングの種類が多くなってしまう問題がある。
【０００６】
また冷却ファンの風は大気に逃げ、放熱フィンにあたらない風も発生していて、冷却効率の面でもロスが発生している。
【課題を解決するための手段】
【０００７】
本発明の回転電機、モーターは、ハウジングの放熱フィンの外側を円筒状のカバーで覆いさらに放熱フィンと円筒状のカバーの間も固定することで、円筒状のカバーの外側で足を固定できるようになる。
【０００８】
また、ハウジングと円筒状のカバーの間の放熱フィンに冷却ファンの風を当てる為の風の通り道を確保し、さらに冷却ファンの外側に取り付けられたファンカバーと放熱フィンの外側の円筒状のカバーの隙間を密着させることで、冷却ファンの風を外部に発散させることなく、円筒状のカバーの中に風を送り込めるようになる。
【０００９】
また、本発明の構成を以下に別の見方にて、説明する。
【００１０】
ハウジングの内面に取り付けられた巻き線を有するステータと、前記ステータ内に挿入されたロータコアと、前記ロータコアに固定されたシャフトと、前記シャフトを支持する軸受けと、前記軸受けを支持するエンドブラケットと、前記シャフトに取り付けられた冷却ファンとを有する回転電機において、前記巻き線に入力される電力を供給する電力供給線が固定される端子を有する端子ボックスを前記ハウジングの外面の任意の位置に固定し、また、前記回転電機を固定する足を前記ハウジングの外面の任意の位置に固定するようにする。
【００１１】
また、上記回転電機において、前記ハウジングと前記ステータとの間に放熱フィンを設けるようにする。
【発明の効果】
【００１２】
上記の手段をとることで、円筒状のカバーの外周の任意の位置で足を固定できる為、足と端子カバーの相対的な位置も任意に決めることができることで、ハウジングの種類を大幅に低減できる効果があり、また冷却ファンの風を効率よく放熱フィンに当てることができることで冷却効率の向上が図れる。
【発明を実施するための最良の形態】
【００１３】
本発明を実施するための最良の形態の実施例を、以下、図を用いて説明する。
【実施例１】
【００１４】
図１は、放熱フィン外周円筒カバー付き全閉形モーターの実施例の組立斜視図、図２は、その分解斜視図である。
【００１５】
図１、図２の場合は、端子ボックス１３に対する足３の相対位置が上側にある事例を表している。ハウジング２は外形を円筒状とし、この円筒状の内面に放熱フィンで仕切られた風の通り道が貫通している構造である。
【００１６】
また、ステーター４に巻かれた巻き線５の導線の端部をハウジング２の後方上部から外側に出し、この部分に端子ボックス１３をパッキン１５を介して、ねじ止めをすることで端子ボックス１３を固定する。
【００１７】
シャフト７に予め固定したローターコア８を軸受け(以下ベアリング)６と共にステーター４の内径部分に挿入し、エンドブラケット９により固定することで、ハウジング２内の全体を密封する。この状態をいわゆる全閉形モーターという。
【００１８】
シャフト７の軸端に冷却ファン１１を固定し、この外側に取り付けられたファンカバー１２をハウジング２の端部に隙間なく固定する。ファンカバー１２の平坦部には空気を吸い込む為の穴が空いており、ここから冷却ファン１１により空気を吸い込み、さらにハウジング２の風の通り道を通って、放熱フィンから熱を奪いながら反対側の穴から熱せられた空気を排出することで、ハウジング２を冷却する構造である。
【００１９】
また、足３はハウジング２に取り付けられた端子ボックス１３の反対面側にねじ止めする。このようにすることで、足３に対する端子ボックス１３の相対位置が上側に設定できる。なお、端子ボックス１３の位置は、足３のねじ止め位置を円筒状のハウジング２の回転方向の任意の位置にねじ穴をあけることで足３を固定できる為、この結果、端子ボックス１３の足３に対する相対位置を任意に設定できることになる。
【００２０】
図３は本実施例のモーターを動力伝達側から見た平面図であり、端子ボックスの位置を自由に設定した事例である。足２４に対し、上部に端子ボックス２１を固定したり、足２５に対し、右側に端子ボックス２２を固定したり、足２６に対し、下側に端子ボックス２７を固定したり、足２８に対し、左側に端子ボックス２３を固定したりして、任意の位置で固定することが可能であると言う解説図である。
【００２１】
また、この４つの事例以外にも、足のねじ止め位置を変更することで、回転軸方向の任意の方位に端子ボックスを取り付けることができる。
【００２２】
図４は、図１のモーターを横断面で切断したときの断面図を表している。図４は図１の場合のファンカバー１２の平坦部に空けた穴から冷却ファン１１により空気を吸い込み、この空気をハウジング２の風の通り道を通って放熱フィンから熱を奪いながら反対側の穴から熱せられた空気を排出することで、ハウジング２を冷却する状態をわかりやすく解説した図である。空気２９、３０から吸い込んだ空気をハウジングの内部の穴を通って空気３１、３２の穴から空気を排出するものである。
【実施例２】
【００２３】
図５は、他の実施例を表している。
【００２４】
シャフトを中空シャフトとし、冷却ファンの吸引力により動力伝達側のシャフト穴から空気３３を吸い込み、シャフトおよびロータコアの熱を奪いながら、一旦冷却ファン側に出てさらにハウジングの風の通り道を通って、放熱フィンからも熱を奪いながら反対側の穴から熱せられた空気を排出することで、モーター内部とハウジングの冷却を同時に行う実施例である。
【００２５】
図４、図５共に、冷却ファンの風がハウジング２の風の通り道を通って放熱フィンから熱を奪いながら、反対側の穴から熱せられた空気を排出することで、ハウジング２を冷却する構造のために、同時に冷却ファンの風切り音の騒音を低く抑えることができる効果も期待できる。
【００２６】
また、上述したが、従来の様に、端子ボックスの取り付け位置が変わる機種などに応じて、ハウジングの種類を設けることも、上記実施例では回避を可能とするものである。従って、ハウジングの型枠などを多数設ける必要も無くなり、製品としての生産性、生産効率の向上などが得られるものと予想される。なお、前記ハウジングの断面の外周形状を正方形等の正多角形や、多角形とするものであっても良い。
【００２７】
上述では、全閉形モータを実施例として、説明したが、本発明は、この全閉形モータに限られるものではなく、一般的な回転電機にて実施されるものであっても良い。
【図面の簡単な説明】
【００２８】
【図１】図１は放熱フィン外周円筒カバー付き全閉形モーターの実施例の組立斜視図である。
【図２】図２は放熱フィン外周円筒カバー付き全閉形モーターの実施例の分解斜視図である。
【図３】図３は放熱フィン外周円筒カバー付き全閉形モーターの実施例を動力伝達側から見た平面図である。
【図４】図４は、放熱フィン外周円筒カバー付き全閉形モーターの実施例を横断面で切断したときの断面図である
【図５】図５は、放熱フィン外周円筒カバー付き全閉形モーターの他の実施例を示す。
【符号の説明】
【００２９】
１３−端子ボックス、３−足、２−ハウジング、４−ステータ、５−巻き線、７−シャフト、８−ロータコア、６−ベアリング、９−エンドブラケット、１１−冷却ファン、１２−ファンカバー
【図１】
2007082362.tif 000003
【図２】
2007082362.tif 000004
【図３】
2007082362.tif 000005
【図４】
2007082362.tif 000006
【図５】
2007082362.tif 000007